(57)【要約】      （修正有）【課題】噴出方向をより自由に制御することができる上、三次元的な風向き調整ができ、且つ騒音が抑えられるルーバー装置を提供する。【解決手段】それぞれの軸線に沿って延伸する板状のガイド部４２、及びガイド部４２の両端からそれぞれ前記軸線に沿って更に延伸する一対の軸棒４１を有するように形成された複数の羽板４と、各羽板４がそれぞれ有する一対の軸棒４１が回動可能に嵌め込まれる複数の固定ノッチ３３がその枠内に各羽板４が互いに平行に並ぶことになる位置に形成されている円環状の固定枠３と、を備え、且つ、各羽板４がそれぞれ有する一対の軸棒４１を対応する固定ノッチ３３に嵌め込むことにより、各羽板４が互いに連動せずに独立して固定枠３内に個別に回動可能になることを特徴とする。【選択図】図３
0003184709.tif 000002
【実用新案登録請求の範囲】
【請求項１】
それぞれの軸線に沿って延伸する板状のガイド部と、前記ガイド部の両端からそれぞれ前記軸線に沿って更に延伸する一対の軸棒と、を有するように形成された複数の羽板と、
各前記複数の羽板がそれぞれ有する一対の軸棒が回動可能に嵌め込まれる複数の固定ノッチがその枠内に各前記複数の羽板が互いに平行に並ぶことになる位置に形成されている円環状の固定枠と、を備え、
且つ、各前記複数の羽板がそれぞれ有する前記一対の軸棒を対応する前記固定ノッチに嵌め込むことにより、各前記複数の羽板が互いに連動せずに独立して前記固定枠内に個別に回動可能になることを特徴とするルーバー装置。
【請求項２】
前記固定枠に形成されている前記複数の固定ノッチは、いずれも前記固定枠に切り込んで形成された切込み部と、前記切込み部が切り込んだ先端に形成された円孔部と、前記切込み部と前記円孔部とが繋がっている箇所に形成されている制限突起と、を有しており、
前記複数の羽板がそれぞれ有する一対の軸棒は、いずれも対応する前記固定ノッチの切込み部が有する前記円孔部と緊合状態になっていることを特徴とする請求項１に記載のルーバー装置。
【請求項３】
円環状の中空ケーシングを更に備えており、前記固定枠は、前記中空ケーシング内に回動可能に収容されていることを特徴とする請求項２に記載のルーバー装置。
【請求項４】
前記中空ケーシングは、前記固定枠を収容できる収容凹部が形成されている円環状のケーシング本体と、前記収容凹部を覆うようになっている円環状のキャップと、からなっていることを特徴とする請求項３に記載のルーバー装置。
【請求項５】
前記ケーシング本体には、少なくとも１つの円弧状案内壁が、前記収容凹部内に収容されている前記固定枠に向かって突出するように形成されており、
前記固定枠には、円弧状案内溝が、前記円弧状案内壁を受け入れることができるように形成されており、
この構成により、前記固定枠は、前記円弧状案内壁と前記円弧状案内溝との嵌め合いにより案内されて前記中空ケーシング内で回動できることを特徴とする請求項４に記載のルーバー装置。
【請求項６】
前記ケーシング本体には、前記収容凹部内に収容されている前記固定枠に向かって突出し、前記固定枠に当接する上前記固定枠を前記キャップに押し当てることができる制限壁が形成されていることを特徴とする請求項５に記載のルーバー装置。
【考案の詳細な説明】
【技術分野】
【０００１】
本考案はルーバー装置に関し、特にエア・コンディショナーなどの機器の吹出し口に取付けられて吹出し口の噴出方向を制御するルーバー装置に関する。
【背景技術】
【０００２】
エア・コンディショナーなどの機器の吹出し口に取付けられて吹出し口の噴出方向を制御するルーバー装置は、例えば特許文献１に記載されているものがある。
【０００３】
該ルーバー装置は、図１に示されているように、略四角形に形成された固定枠１０と、固定枠１０内に左右回動可能に取付けられている複数の案内板１２と、各案内板１２に取付けられて、全ての案内板１２を一斉に連動させる連動バー１３と、を備えている。
【０００４】
図２に示されているように、各案内板１２は、いずれも上下に延伸する板状に形成されたガイドプレート部１２１と、ガイドプレート部１２１の上下両端から延伸する回動軸１２２と、を有するように形成されている。各案内板１２の回動軸１２２は、固定枠１０の枠体１０１に形成されたノッチ１０２に嵌め込まれることによって固定枠１０に回動可能に取付けられている。更に、連動バー１３は、回動軸１２２の回動に従って揺動する各案内板１２のガイドプレート部１２１を全て貫通するように取付けられているので、全ての案内板１２を一斉に連動させることができる。
【先行技術文献】
【特許文献】
【０００５】
【特許文献１】米国特許第３７３４１５号明細書
【考案の概要】
【考案が解決しようとする課題】
【０００６】
しかし、上記構成において、全ての案内板１２が連動バー１３によって一斉に連動する構成になっているこの従来のルーバー装置では、吹出し口から噴出されて各案内板１２により案内される風の向きは１つに限定されると共に、風の向きが調整できる範囲は例えば左側から右側へというように二次元的に限定され、例えば上向きや下向きなどをも含む三次元的な調整が不可能となる。
【０００７】
また、各案内板１２の回動軸１２２が嵌め込まれるノッチ１０２には、回動軸１２２がノッチ１０２から外れないようにするストッパー１０３が設けられるが、ストッパー１０３が取付けられていても、エア・コンディショナーなどの機器の吹出し口に取付けられて吹出し口の噴出方向を制御する案内板１２に、吹出し口から噴出される風が当たると、ノッチ１０２に嵌め込まれている回動軸１２２がノッチ１０２やストッパー１０３にぶつかって騒音を起こしたり、あるいは摩耗したりするのは必然だといえる。
【０００８】
従って、本考案は噴出方向をより自由に制御することができる上、三次元的な風向き調整ができ、且つ騒音が抑えられるルーバー装置の提供を目的とする。
【課題を解決するための手段】
【０００９】
上記目的を達成すべく、本考案は、それぞれの軸線に沿って延伸する板状のガイド部、及び前記ガイド部の両端からそれぞれ前記軸線に沿って更に延伸する一対の軸棒を有するように形成された複数の羽板と、各前記複数の羽板がそれぞれ有する一対の軸棒が回動可能に嵌め込まれる複数の固定ノッチがその枠内に各前記複数の羽板が互いに平行に並ぶことになる位置に形成されている円環状の固定枠と、を備え、且つ、各前記複数の羽板がそれぞれ有する前記一対の軸棒を対応する前記固定ノッチに嵌め込むことにより、各前記複数の羽板が互いに連動せずに独立して前記固定枠内に個別に回動可能になることを特徴とするルーバー装置を提供する。
【００１０】
上記ルーバー装置において、前記固定枠に形成されている前記複数の固定ノッチは、いずれも前記固定枠に切り込んで形成された切込み部と、前記切込み部が切り込んだ先端に形成された円孔部と、前記切込み部と前記円孔部とが繋がっている箇所に形成されている制限突起と、を有しており、前記複数の羽板がそれぞれ有する一対の軸棒は、いずれも対応の切込み部が有する前記円孔部と緊合状態になっていることが好ましい。
【００１１】
上記ルーバー装置において、円環状の中空ケーシングを更に備えており、前記固定枠は前記中空ケーシング内に回動可能に収容されていることが好ましい。
【００１２】
上記ルーバー装置において、前記中空ケーシングは、前記固定枠を収容できる収容凹部が形成されている円環状のケーシング本体と、前記収容凹部を覆うようになっている円環状のキャップと、からなっていることが好ましい。
【００１３】
上記ルーバー装置において、前記ケーシング本体には、少なくとも１つの円弧状案内壁が、前記収容凹部内に収容されている前記固定枠に向かって突出するように形成されており、前記固定枠には、円弧状案内溝が、前記円弧状案内壁を受け入れることができると共に、前記円弧状案内壁より長く形成されており、それにより、前記固定枠は前記円弧状案内壁と前記円弧状案内溝との嵌め合いにより案内されて前記中空ケーシング内で回動できるように構成されることが好ましい。
【００１４】
上記ルーバー装置において、前記ケーシング本体には、前記収容凹部内に収容されている前記固定枠に向かって突出し、前記固定枠に当接する上前記固定枠を前記キャップに押し当てることができる制限壁が形成されていることが好ましい。
【考案の効果】
【００１５】
上記構成により、本考案のルーバー装置は、各羽板が互いに連動せずに独立して固定枠内に個別に回動可能に取付けられているので、個別に調整することにより、吹出し口から噴出される風の向きを二方向に向かせるように調整することが可能である。
【００１６】
また、各羽板がそれぞれ有する一対の軸棒は、いずれも対応の切込み部が有する円孔部と緊合状態になっているので、ストッパーを設ける必要がない上、軸棒が円孔部にぶつかって騒音を起こすこともなく、摩耗を減らすこともできる。
【００１７】
更に、本考案は、固定枠を中空ケーシング内に回動可能に収容することにより、回動可能に取付けられている各羽板にあわせて、吹出し口から噴出される風の向きを例えば上下左右に向かせるように三次元的な調整が可能となる。
【図面の簡単な説明】
【００１８】
【図１】従来のルーバー装置の構成例が示されている正面図である。
【図２】上記構成例の一部拡大斜視図である。
【図３】本考案のルーバー装置の一実施形態の分解図である。
【図４】上記実施形態の斜視図である。
【図５】上記実施形態の断面図である。
【図６】上記実施形態の一部拡大断面図である。
【考案を実施するための形態】
【００１９】
以下では各図面を参照しながら、本考案の好ましい実施形態について詳しく説明する。
【００２０】
図３〜図５に示されているように、本考案のルーバー装置は、主な構成として円環状に形成された固定枠３と、固定枠３内に個別に回動可能に取付けられている複数の羽板４と、を備えている。また、固定枠３は、円環状のケーシング本体２と円環状のキャップ５とからなる円環状の中空ケーシング内に回動可能に収容されている。
【００２１】
図３に示されるように、ケーシング本体２は、円環状に形成された底板２３と、底板２３の外周縁からその一側（固定枠３及びキャップ５が配置される側）に向かって突出する外周壁２２と、からなり、底板２３及び外周壁２２により画成される収容凹部２０内に固定枠３が収容される。更に、底板２３には、前記一側（固定枠３及びキャップ５が配置される側）に向かって突出する複数の制限棒２４が形成されている。
【００２２】
キャップ５は、底板２３のサイズに対応する円環板状に形成されていると共に、キャップ５には、底板２３に形成されている複数の制限棒２４の位置に対応する複数の制限孔５１が形成されている。図３〜図５に示されているように、キャップ５がケーシング本体２の収容凹部２０を覆うと共に底板２３に形成されている複数の制限棒２４がキャップ５に形成されている各制限孔５１に挿入されることによって、ケーシング本体２とキャップ５とが結合して中空ケーシングを完成する。
【００２３】
図３に示されるように、複数の羽板４は、それぞれが有する軸線に沿って延伸する板状のガイド部４２と、ガイド部４２の両端からそれぞれ前記軸線に沿って更に延伸する一対の軸棒４１と、を有するように形成されている。
【００２４】
固定枠３には、各羽板４が有する一対の軸棒４１が回動可能に嵌め込まれる複数の固定ノッチ３３が、各羽板４が互いに平行に並ぶことになる位置に形成されている。ちなみに、この実施形態において各固定ノッチ３３は、固定枠３が収容凹部２０内に収容される時、キャップ５に面する側に凹設されている。
【００２５】
なお、本考案はエア・コンディショナーなどの機器の吹出し口に取付けられて吹出し口の噴出方向を制御するルーバー装置であるので、各羽板４の間に噴出される空気などが通過する通過口３２を残す必要があるので、各羽板４並びに各固定ノッチ３３の間に一定の距離をあける必要がある。
【００２６】
この構成によって、各羽板４がそれぞれ有する一対の軸棒４１を対応の固定ノッチ３３に嵌め込むと、各羽板４が固定枠３の枠内に互いの軸線が平行し且つ互いに連動せずに独立して回動し、それぞれが有する板状のガイド部４２の姿勢を独立して変えることができる。
【００２７】
また、図３及び図５に示されているように、底板２３には、その内周縁から前記一側（固定枠３及びキャップ５が配置される側）に向かって突出する少なくとも１つ（この実施形態では２つ）の円弧状案内壁２５が形成されており、固定枠３の底板２３に面する側には、円弧状案内壁２５の円弧形状に対応して円弧状案内壁２５の先端を受け入れることができると共に、円弧状案内壁２５より長い円弧状案内溝３４が凹設されている。この構成により、ケーシング本体２とキャップ５とからなる中空ケーシング内、即ち収容凹部２０に収容される固定枠３は、円弧状案内壁２５と円弧状案内溝３４との嵌め合いにより案内されて中空ケーシング内で回動することができる。ちなみに、この実施形態において、円弧状案内溝３４は、円環状に形成された固定枠３の全周に亘って延伸して円環状になっているので、固定枠３は円弧状案内壁２５と円弧状案内溝３４との案内により３６０°回転自在になっているが、円弧状案内溝３４を所定の長さに形成することによって固定枠３の回転可能範囲を制限することも可能である。
【００２８】
更に、底板２３には、円弧状案内壁２５から少しずれた位置から前記一側（固定枠３及びキャップ５が配置される側）に向かって突出する制限壁２６が形成されており、この制限壁２６が、収容凹部２０内に収容されている固定枠３の円弧状案内溝３４の隣で凹陥しない部分に当接することによって、固定枠３をキャップ５に押し当てて固定枠３の回転以外の可動範囲を制限することができる。
【００２９】
この構成により、中空ケーシング内に収容される固定枠３は、制限壁２６により収容凹部２０内に保持されながら、円弧状案内壁２５及び円弧状案内溝３４の案内に従って安定的に回動することができるので、板状のガイド部４２の姿勢変更にあわせて吹出し口から噴出される風の向きを例えば上下左右に向かせるように三次元的な調整が可能となる。
【００３０】
更に、本実施形態ではキャップ５の固定枠３に面する側にも円環状突起５２が形成され、そして固定枠３のキャップ５に面する側に円環状突起５２を受け入れることができる嵌合凹部３５が形成されているので、固定枠３が中空ケーシング内に収容される時、キャップ５の円環状突起５２が固定枠３の円環状突起５２に嵌まり込んで固定枠３をより安定的に保持することができる。ちなみに、同じく固定枠３のキャップ５に面する側に形成される各固定ノッチ３３は、嵌合凹部３５と連通するようになっている。
【００３１】
続いて、図４及び図６を用いて固定枠３と複数の羽板４との取付け関係について更に詳しく説明する。
【００３２】
図示のように、固定枠３には、各羽板４が有する一対の軸棒４１に対応する複数の固定ノッチ３３が形成されている。各固定ノッチ３３は、いずれも固定枠３に切り込んで形成された切込み部３３３と、切込み部３３３が切り込んだ先端に形成された円孔部３３１と、切込み部３３と円孔部３３１とが繋がっている箇所に形成されている制限突起３３２と、を有するように形成されている。また、各羽板４が有する一対の軸棒４１は切込み部３３３及び制限突起３３２を経由して円孔部３３１に嵌め込まれるので、切込み部３３３の幅は円孔部３３１の断面直径より少し広くなっており、そして円孔部３３１の直径は対応する軸棒４１の断面直径とほぼ同じである。
【００３３】
一方、切込み部３３３と円孔部３３１とが繋がっている箇所で互いに向き合って突出する２つの制限突起３３２が形成されているので、該２つの制限突起３３２の間の距離は、円孔部３３１及び軸棒４１の直径より少し短くなっている。従って、軸棒４１を円孔部３３１内に嵌め込ませるには、２つの制限突起３３２の間をこじ開ける必要があるが、円孔部３３１内に嵌め込まれた軸棒４１は円孔部３３１と緊合状態になるので、ストッパーを設ける必要がない上、軸棒４１が円孔部３３１にぶつかって騒音を起こすこともなく、摩耗を減らすこともできる。
【産業上の利用可能性】
【００３４】
上記構成により、本考案のルーバー装置は、各羽板が互いに連動せずに独立して固定枠内に個別に回動可能に取付けられているので、個別に調整することにより、吹出し口から噴出される風の向きを二方向に向かせるように調整することが可能である。
【００３５】
また、各羽板がそれぞれ有する一対の軸棒は、いずれも対応の切込み部が有する円孔部と緊合状態になっているので、ストッパーを設ける必要がない上、軸棒が円孔部にぶつかって騒音を起こすこともなく、摩耗を減らすこともできる。
【００３６】
更に、本考案は、固定枠を中空ケーシング内に回動可能に収容することにより、回動可能に取付けられている各羽板にあわせて、吹出し口から噴出される風の向きを例えば上下左右に向かせるように三次元的な調整が可能となる。
【符号の説明】
【００３７】
２  ケーシング本体
２０  収容凹部
２２  外周壁
２３  底板
２４  制限棒
２５  円弧状案内壁
２６  制限壁
３  固定枠
３２  通過口
３３  固定ノッチ
３３１  円孔部
３３２  制限突起
３３３  切込み部
３４  円弧状案内溝
３５  嵌合凹部
４  羽板
４１  軸棒
４２  ガイド部
５  キャップ
５１  制限孔
５２  円環状突起
【図１】
0003184709.tif 000003
【図２】
0003184709.tif 000004
【図３】
0003184709.tif 000005
【図４】
0003184709.tif 000006
【図５】
0003184709.tif 000007
【図６】
0003184709.tif 000008